(57)【特許請求の範囲】
【請求項１】
相互に異なるマーク率を持つ符号化方式で符号化された複数の異なる種類の光信号のうちいずれか一つの種類の光信号を受光し、受光結果に応じた電気信号を生成する受光手段と、
前記受光手段が生成した電気信号に基づいて、前記受光手段が光信号を受光しているか否かを判断する受光有無判断手段と、
前記受光手段が生成した電気信号のレベルを所定時間検出し、当該検出結果に基づいて、前記受光手段が受光した光信号の前記符号化方式を判別し、当該判別した符号化方式を、前記受光有無判断手段が次に光信号を受光していないと判断するまで保持する符号化方式判別手段と、
複数のしきい値のうち、前記符号化方式判別手段が保持する前記符号化方式に対応する一のしきい値を選択し、当該選択したしきい値を用いて、電気信号を増幅する増幅手段と
を有する増幅装置。
【請求項２】
前記符号化方式判別手段は、前記受光手段が生成した電気信号のレベルを所定時間検出して前記電気信号のレベルの平均値を求め、当該平均値に基づいて、前記受光手段が受光した光信号の前記符号化方式を判別する
請求項１に記載の増幅装置。
【請求項３】
第１の波長の光信号を変換して第２の波長の光信号を出力する波長変換装置において、
相互に異なるマーク率を持つ符号化方式で符号化された第１の波長を持つ複数の異なる種類の光信号のうちいずれか一つの種類の光信号を受光し、受光結果に応じた電気信号を生成する受光手段と、
前記受光手段が生成した電気信号に基づいて、前記受光手段が光信号を受光しているか否かを判断する受光有無判断手段と、
前記受光手段が生成した電気信号のレベルを所定時間検出し、当該検出結果に基づいて、前記受光手段が受光した光信号の前記符号化方式を判別し、当該判別した符号化方式を、前記受光有無判断手段が次に光信号を受光していないと判断するまで保持する符号化方式判別手段と、
第２の波長の光信号を出力する発光手段と、
複数の基準電圧のうち、前記符号化方式判別手段が保持する前記符号化方式に対応する一の基準電圧を選択し、当該選択した基準電圧を用いて、前記発光手段から出力される前記光信号のパワーを略一定に保持する光出力保持手段と、
前記電気信号に基づいて、前記発光手段が出力する光信号を変調する変調手段と
を有する波長変換装置。
【請求項４】
前記符号化方式判別手段は、前記受光手段が生成した電気信号のレベルを所定時間検出して前記電気信号のレベルの平均値を求め、当該平均値に基づいて、前記受光手段が受光した光信号の前記符号化方式を判別する
請求項３に記載の波長変換装置。
【請求項５】
前記変調手段の前段に設けられ、複数のしきい値のうち、前記符号化方式判別手段が保持する前記符号化方式に対応する一のしきい値を選択し、当該選択したしきい値を用いて、前記受光手段が生成した電気信号を増幅する増幅手段
をさらに有し、
前記変調手段は、前記増幅された電気信号に基づいて、前記発光手段が出力する光信号を変調する
請求項３または請求項４に記載の波長変換装置。
【発明の詳細な説明】
【０００１】
【発明が属する技術分野】
本発明は、相互に異なるマーク率を持つ符号化方式で符号化された複数の光信号を正確に増幅できる増幅装置および当該符号判別を用いた波長変換装置に関する。
【０００２】
【従来の技術】
例えば、複数の信号に異なる波長を割り当てて１本の光ファイバを介して伝送するＷＤＭ(Wave length Division Multiplex)システムの送信装置には、入力した光信号の波長を変換して出力する波長変換装置が設けられているものがある。
図５は、従来の波長変換装置１の構成図である。
図５に示す波長変換装置１では、光入力信号Ｓ１０が受光素子１１において電流信号Ｓ１１に変換された後に、電流信号Ｓ１１が電流・電圧変換器１２において電圧信号Ｓ１２に変換される。次に、電圧信号Ｓ１２が、リミッティングアンプ１３およびバッファアンプ１４で増幅され、これにより生成された電圧信号Ｓ１４がＬＤ(Laser Diode) 駆動回路１５に出力される。このとき、リミッティングアンプ１３では、電気信号Ｓ１２の振幅レベルを所定のレベル内に制限するように差動増幅が行われ、電気信号Ｓ１３が生成される。また、バッファアンプ１４では、電気信号Ｓ１３が、ＬＤ駆動回路１５に要求される範囲の振幅レベルを持つように増幅され、電気信号Ｓ１４が生成される。
【０００３】
そして、ＬＤ駆動回路１５によって電圧信号Ｓ１４に基づいて半導体レーザ１６の発光が制御され、半導体レーザ１６から光出力信号Ｓ１６が出力される。このとき、ＡＰＣ(Automatic Power Control) 回路１７によって、半導体レーザ１６から出力される光出力信号Ｓ１６のパワーが一定になるように制御される。
【０００４】
上述した波長変換装置１のリミッティングアンプ１３およびバッファアンプ１４では、入力側がカップリングコンデンサを介したＡＣ(Alternating Current: 交流) 結合になっており、前段から電圧信号を交流の０Ｖに相当するしきい値を用いて増幅して電気信号Ｓ１３およびＳ１４を生成している。このとき、増幅の中心レベルとして用いられるしきい値は、光入力信号Ｓ１０の符号化方式のマーク率（ハイレベルとローレベルとの発生確率）に応じて決まり、例えば、図６（Ａ）に示すように、ＮＲＺ(Non Return to Zero)符号やＣＭＩ(Coded Mark Inversion)符号のようにハイレベルの発生確率が１／２の符号化方式では、しきい値Ｖｔｈは最大電位と最小電位との中間値になる。そのため、光入力信号Ｓ１０に雑音や符号間干渉の影響が多少あっても、リミッティングアンプ１３およびバッファアンプ１４における増幅を正確に行うことができる。
【０００５】
ところで、前述した波長変換装置１に、ＲＺ符号化された光入力信号Ｓ１０を入力した場合には、図６（Ｂ）に示すように、ＲＺ符号のマーク率は１／４であるため、しきい値Ｖｔｈは、最大電位と最小電位との中間値より低くなる。そのため、光入力信号Ｓ１０に雑音および符号間干渉の影響が大きいと、リミッティングアンプ１３およびバッファアンプ１４における増幅が正確に行われないことがあり、光出力信号Ｓ１６の品質が低いという問題がある。
また、ＲＺ符号化された光入力信号Ｓ１０を入力した場合には、半導体レーザ１６から出力される光出力信号Ｓ１６のパワーも、ＮＲＺ符号化された光入力信号Ｓ１０を入力した場合に比べて半分になるため、同じ出力パワーを得るには、ＡＰＣ回路１７の基準電圧を切り替える必要がある。
【０００６】
上述したような問題点を解決するために、例えば、特開昭６４−３９８３９号には、入力信号の振幅レベルの平均値を求め、当該平均値に基づいてマーク率の変動を検出し、当該検出結果に基づいて、出力パワーを決定する際に用いる基準電圧を動的に切り換える半導体レーザ駆動回路が開示されている。
【０００７】
【発明が解決しようとする課題】
しかしながら、上述した特開昭６４−３９８３９号に開示された半導体レーザ駆動回路では、マーク率の変動に追従して常に基準電圧を変動させているため、例えば、入力信号のマーク率が長期的に見れば一定であっても、「マーク」および「スペース」のうち一方が一時的に連続して発生すると、入力信号の振幅レベルの平均値が一時的に変化し、当該変化に応じて基準電圧を切り替えてしまう。このような基準電圧の切替えが発生すると、半導体レーザの出力パワーが不安定になってしまうという問題がある。
【０００８】
本発明は、上述した従来技術の問題点に鑑みてなされ、「マーク」あるいは「スペース」の一方が一時的に連続して発生した場合でも、光信号の増幅および半導体レーザを用いた波長変換を安定して正確に行うことができる増幅装置および波長変換装置を提供することを目的とする。
【０００９】
【課題を解決するための手段】
上述した従来技術の問題点を解決し、上述した目的を達成するために、本発明の増幅装置は、相互に異なるマーク率を持つ符号化方式で符号化された複数の異なる種類の光信号のうちいずれか一つの種類の光信号を受光し、受光結果に応じた電気信号を生成する受光手段と、前記受光手段が生成した電気信号に基づいて、前記受光手段が光信号を受光しているか否かを判断する受光有無判断手段と、前記受光手段が生成した電気信号のレベルを所定時間検出し、当該検出結果に基づいて、前記受光手段が受光した光信号の前記符号化方式を判別し、当該判別した符号化方式を、前記受光有無判断手段が次に光信号を受光していないと判断するまで保持する符号化方式判別手段と、複数のしきい値のうち、前記符号化方式判別手段が保持する前記符号化方式に対応する一のしきい値を選択し、当該選択したしきい値を用いて、電気信号を増幅する増幅手段とを有する。
【００１０】
本発明の増幅装置では、相互に異なるマーク率を持つ符号化方式で符号化された複数の異なる種類の光信号のうちいずれか一つの種類の光信号が受光され、その受光結果に応じた電気信号が生成される。
そして、受光有無判断手段において、前記受光手段が生成した電気信号に基づいて、前記受光手段が光信号を受光しているか否かが判断される。
また、符号化方式判別手段において、前記受光手段が生成した電気信号のレベルが所定時間検出され、当該検出結果に基づいて、前記受光手段が受光した光信号の前記符号化方式が判別され、当該判別した符号化方式が、前記受光有無判断手段が次に光信号を受光していないと判断するまで保持される。
次に、増幅手段において、複数のしきい値のうち、前記符号化方式判別手段が保持する前記符号化方式に対応する一のしきい値が選択され、当該選択されたしきい値を用いて、電気信号が増幅される。
【００１１】
また、本発明の増幅装置は、好ましくは、前記符号化方式判別手段は、前記受光手段が生成した電気信号のレベルを所定時間検出して前記電気信号のレベルの平均値を求め、当該平均値に基づいて、前記受光手段が受光した光信号の前記符号化方式を判別する。
【００１２】
また、本発明の波長変換装置は、第１の波長の光信号を変換して第２の波長の光信号を出力する波長変換装置であって、相互に異なるマーク率を持つ符号化方式で符号化された第１の波長を持つ複数の異なる種類の光信号のうちいずれか一つの種類の光信号を受光し、受光結果に応じた電気信号を生成する受光手段と、前記受光手段が生成した電気信号に基づいて、前記受光手段が光信号を受光しているか否かを判断する受光有無判断手段と、前記受光手段が生成した電気信号のレベルを所定時間検出し、当該検出結果に基づいて、前記受光手段が受光した光信号の前記符号化方式を判別し、当該判別した符号化方式を、前記受光有無判断手段が次に光信号を受光していないと判断するまで保持する符号化方式判別手段と、第２の波長の光信号を出力する発光手段と、複数の基準電圧のうち、前記符号化方式判別手段が保持する前記符号化方式に対応する一の基準電圧を選択し、当該選択した基準電圧を用いて、前記発光手段から出力される前記光信号のパワーを略一定に保持する光出力保持手段と、前記電気信号に基づいて、前記発光手段が出力する光信号を変調する変調手段とを有する。
【００１３】
また、本発明の波長変換装置は、好ましくは、前記符号化方式判別手段は、前記受光手段が生成した電気信号のレベルを所定時間検出して前記電気信号のレベルの平均値を求め、当該平均値に基づいて、前記受光手段が受光した光信号の前記符号化方式を判別する。
【００１４】
また、本発明の波長変換装置は、好ましくは、前記変調手段の前段に設けられ、複数のしきい値のうち、前記符号化方式判別手段が保持する前記符号化方式に対応する一のしきい値を選択し、当該選択したしきい値を用いて、前記受光手段が生成した電気信号を増幅する増幅手段をさらに有し、前記変調手段は、前記増幅された電気信号に基づいて、前記発光手段が出力する光信号を変調する。
【００１５】
【発明の実施の形態】
以下、本発明の実施形態に係わるＷＤＭシステムについて説明する。
図１は、本実施形態のＷＤＭシステム３１の構成図である。
ＷＤＭシステム３１は、波長変換器４３1 〜４３4 に特徴を有している。
図１に示すように、ＷＤＭシステム３１は、光送信装置４０と光受信装置４１とを光ファイバ４５を介して接続した構成をしている。
光送信装置４０は、送信器４２1 〜４２4 、波長変換器４３1 〜４３4 および光合波器４４を有する。
【００１６】
送信器４２1 〜４２4 は、それぞれ独立したベースバンド信号を伝送する波長λ0 の光信号Ｓ４２1 〜Ｓ４２4 を、それぞれ波長変換器４３1 〜４３4 に出力する。
波長変換器４３1 〜４３4 は、それぞれ波長λ0 の光信号Ｓ４２1 〜Ｓ４２4 を、波長λ1 〜λ4 の光信号Ｓ４３1 〜Ｓ４３4 に変換し、これらを光合波器４４に出力する。
光合波器４４は、波長λ1 〜λ4 の光信号Ｓ４３1 〜Ｓ４３4 を多重化して生成した光信号Ｓ４４を光ファイバ４５を介して光受信装置４１に出力する。
【００１７】
光受信装置４１は、光分波器４６および受信器４７1 〜４７4 を有する。
光分波器４６は、受信した光信号Ｓ４４から、波長λ1 〜λ4 の光信号Ｓ４６1 〜Ｓ４６4 を分波し、それぞれ受信器４７1 〜４７4 に出力する。
受信器４７1 〜４７4 は、それぞれ入力した光信号Ｓ４６1 〜Ｓ４６4 に基づいて所定の処理を行う。
【００１８】
以下、波長変換器４３1 〜４３4 について説明する。
波長変換器４３1 〜４３4 は、出力する光信号の波長を除いて、同じ構成および機能を有する。
図２は、波長変換器４３1 の構成図である。
図２に示すように、波長変換器４３1 は、受光素子５１（本発明の受光手段）、電流・電圧変換器５２、リミッティングアンプ５３、バッファアンプ５４、ＬＤ駆動回路５５（本発明の変調手段）、半導体レーザ５６（本発明の発光手段）、ＡＰＣ回路５７、光入力断アラーム６０、しきい値切替器６１、平均値検出器６２、ＮＲＺ／ＲＺ判別器６３、しきい値切替器６４および基準電圧切替器６５を有する。
ここで、リミッティングアンプ５３、バッファアンプ５４、しきい値切替器６１およびしきい値切替器６４が本発明の増幅手段に対応している。また、平均値検出器６２およびＮＲＺ／ＲＺ判別器６３が本発明の符号化方式判別手段に対応している。また、ＡＰＣ回路５７および基準電圧切替器６５が本発明の光出力保持手段に対応している。
【００１９】
受光素子５１は、例えば、ＰＩＮ−ＰＤ(Photo Diode) やＡＰＤであり、受光した光信号Ｓ４２1 の光強度に応じた電流信号Ｓ５１を、電流・電圧変換器５２および光入力断アラーム６０に出力する。
電流・電圧変換器５２は、入力した電流信号Ｓ５１の電流値に応じた電圧を持つ電圧信号Ｓ５２を出力する。
【００２０】
リミッティングアンプ５３は、カップリングコンデンサを介して電流・電圧変換器５２とＡＣ結合されており、電流・電圧変換器５２から入力した電気信号Ｓ５２の振幅値を所定のレベル内に制限するように差動増幅を行い、その正出力を電圧信号Ｓ５３ａとしてバッファアンプ５４に出力し、その負出力を電圧信号Ｓ５３ｂとして平均値検出器６２に出力する。このとき、リミッティングアンプ５３は、しきい値切替器６１から入力したしきい値切替信号Ｓ６１に基づいて、しきい値ＶｔｈａNRZ およびＶｔｈａRZのいずれか一方を選択し、当該選択したしきい値を用いて電気信号Ｓ５２の増幅を行う。
ここで、しきい値ＶｔｈａNRZ は、光信号Ｓ４２1 がＮＲＺ符号化されている場合における電気信号Ｓ５２の最大電位と最小電位との中間電位に設定されている。
また、しきい値ＶｔｈａRZは、光信号Ｓ４２1 がＲＺ符号化されている場合における電気信号Ｓ５２の最大電位と最小電位との中間電位に設定されている。
【００２１】
また、バッファアンプ５４は、カップリングコンデンサを介してリミッティングアンプ５３とＡＣ結合されており、電気信号Ｓ５３ａをＬＤ駆動回路５５が要求するＥＣＬ(Emitter Coupled Logic) 入力レベルの振幅を持つように差動増幅して電気信号Ｓ５４を生成する。このとき、バッファアンプ５４は、しきい値切替器６４から入力したしきい値切替信号Ｓ６４に基づいて、しきい値ＶｔｈｂNRZ およびＶｔｈｂRZのいずれか一方を選択し、当該選択したしきい値を用いて電気信号Ｓ５３ａの増幅を行う。
ここで、しきい値ＶｔｈｂNRZ は、光信号Ｓ４２1 がＮＲＺ符号化されている場合における電気信号Ｓ５３ａの最大電位と最小電位との中間電位に設定されている。
また、しきい値ＶｔｈｂRZは、光信号Ｓ４２1 がＲＺ符号化されている場合における電気信号Ｓ５３ａの最大電位と最小電位との中間電位に設定されている。
【００２２】
光入力断アラーム６０は、受光素子５１から入力した電流信号Ｓ５１に基づいて、受光素子５１が光信号Ｓ４２1 を受光しているか否かを判断し、その判断結果を示す光入力判断信号Ｓ６０をＮＲＺ／ＲＺ判別器６３に出力する。
【００２３】
平均値検出器６２は、リミッティングアンプ５３から入力した電圧信号Ｓ５３ｂを一定時間積分し、当該積分結果に基づいて、電気信号Ｓ５３ｂの振幅レベルの平均値を検出し、当該平均値を示す平均値信号Ｓ６２をＮＲＺ／ＲＺ判別器６３に出力する。
【００２４】
ＮＲＺ／ＲＺ判別器６３は、光入力判断信号Ｓ６０に基づいて、受光素子５１が光信号Ｓ４２1 の受光を開始するまでの間、ＮＲＺ符号を示す符号判定信号Ｓ６３をしきい値切替器６１および６４に出力する。
また、ＮＲＺ／ＲＺ判別器６３は、光入力判断信号Ｓ６０に基づいて、受光素子５１が光信号Ｓ４２1 の受光を開始してから一定時間経過後、平均値検出器６２から入力した平均値信号Ｓ６２に基づいて、光信号Ｓ４２1 がＮＲＺ符号化およびＲＺ符号化のいずれの符号化がされているかを判別し、その判別結果を示す判別信号Ｓ６３をしきい値切替器６１および６４に出力する。このとき、判別信号Ｓ６３が示す判別結果は、ＮＲＺ／ＲＺ判別器６３において次に受光素子５１が光信号Ｓ４２1 を受光しなくなるまでラッチ（保持）される。
【００２５】
このように、判別信号Ｓ６３が示す判別結果をラッチすることで、光信号Ｓ４２1 において「マーク」および「スペース」のうち一方が一時的に連続して発生しても、リミッティングアンプ５３およびバッファアンプ５４が誤ってしきい値を切り替えてしまうことを回避でき、正確な符号判定が可能になる。
ここで、送信器４２1 を他の符号化方式のものと切り換える場合など、光信号Ｓ４２1 の符号化方式が切り替わる場合には、コネクタの差し替えなどにより、波長変換器４３1 への光信号Ｓ４２1 の入力が途切れ、光信号Ｓ４２1 が出力されない期間が生じるため、当該光信号Ｓ４２1 の入力が途切れた期間をＮＲＺ／ＲＺ判別器６３で検出してラッチを解除することで、符号化方式の切り替わりに対しても適切に対処できる。
【００２６】
しきい値切替器６１は、ＮＲＺ／ＲＺ判別器６３から入力した判別信号Ｓ６３が示す符号に合致したしきい値をリミッティングアンプ５３が選択するように、しきい値切替信号Ｓ６１をリミッティングアンプ５３に出力する。
【００２７】
しきい値切替器６４は、ＮＲＺ／ＲＺ判別器６３から入力した判別信号Ｓ６３が示す符号に合致したしきい値をバッファアンプ５４が選択するように、しきい値切替信号Ｓ６４をバッファアンプ５４に出力する。
【００２８】
ＬＤ駆動回路５５は、バッファアンプ５４から入力した電圧信号Ｓ５４に基づいて半導体レーザ５６から出力される光信号Ｓ４３1 の変調を制御する。
【００２９】
半導体レーザ５６は、ＬＤ駆動回路５５からの制御に応じた波長λ1 の光信号Ｓ４３1 を出力する。
【００３０】
ＡＰＣ回路５７は、基準電圧切替器６５から入力した基準電圧切替信号Ｓ６５に基づいて、基準電圧ＶｒｅｆNRZ およびＶｒｅｆRZのうち一方を選択し、当該選択した基準電圧に基づいて、光信号Ｓ４３1 のパワーが一定になるように、半導体レーザ５６を制御する。
【００３１】
基準電圧切替器６５は、ＮＲＺ／ＲＺ判別器６３から入力した判別信号Ｓ６３が示す符号に合致した基準電圧をＡＰＣ回路５７に選択させるように、基準電圧切替信号Ｓ６５をＡＰＣ回路５７に出力する。
【００３２】
次に、図１に示す波長変換器４３1 の動作について説明する。
〔光信号Ｓ４２1 がＮＲＺ符号化されている場合〕
この場合には、光入力断アラーム６０において、受光素子５１が光信号Ｓ４２1 を受光していることが検出された後、ＮＲＺ／ＲＺ判別器６３において、平均値信号Ｓ６２に基づいて、ＮＲＺ符号であると判別され、ＮＲＺ符号を示す判別信号Ｓ６３がしきい値切替器６１，６４および基準電圧切替器６５に出力される。
これにより、リミッティングアンプ５３、バッファアンプ５４およびＡＰＣ回路５７において、しきい値ＶｔｈａNRZ 、しきい値ＶｔｈｂNRZ および基準電圧ＶｒｅｆNRZ が選択され、これらが受光素子５１において光信号Ｓ４２1 が検出されなくなるまでラッチされる。
【００３３】
また、光信号Ｓ４２1 が、受光素子５１で電流信号Ｓ５１に変換された後に、電流・電圧変換器５２で電圧信号Ｓ５２に変換される。
次に、電圧信号Ｓ５２が、リミッティングアンプ５３において、しきい値ＶｔｈａNRZ を用いて差動増幅されて電気信号Ｓ５３が生成される。
次に、電気信号Ｓ５３が、バッファアンプ５４において、しきい値ＶｔｈｂNRZ を用いて差動増幅されて電気信号Ｓ５４が生成され、電気信号Ｓ５４がＬＤ駆動回路５５に出力される。
そして、電圧信号Ｓ５４に基づいてＬＤ駆動回路５５によって半導体レーザ５６の発光が制御され、半導体レーザ５６から光出力信号Ｓ４３1 が出力される。このとき、ＡＰＣ回路５７によって、基準電圧ＶｒｅｆNRZ に基づいて、半導体レーザ５６から出力される光信号Ｓ４３1 のパワーが一定になるように制御される。
【００３４】
〔光信号Ｓ４２1 がＲＺ符号化されている場合〕
この場合には、光入力断アラーム６０において、受光素子５１が光信号Ｓ４２1 を受光していることが検出された後、ＮＲＺ／ＲＺ判別器６３において、平均値信号Ｓ６２に基づいて、ＲＺ符号であると判別され、ＲＺ符号を示す判別信号Ｓ６３がしきい値切替器６１，６４および基準電圧切替器６５に出力される。
これにより、リミッティングアンプ５３、バッファアンプ５４およびＡＰＣ回路５７において、しきい値ＶｔｈａRZ、しきい値ＶｔｈｂRZおよび基準電圧ＶｒｅｆRZが選択され、これらが受光素子５１において光信号Ｓ４２1 が検出されなくなるまでラッチされる。
【００３５】
また、光信号Ｓ４２1 が、受光素子５１で電流信号Ｓ５１に変換された後に、電流・電圧変換器５２で電圧信号Ｓ５２に変換される。
次に、電圧信号Ｓ５２が、リミッティングアンプ５３において、差動増幅され、しきい値ＶｔｈａRZを用いて符号判定されて電気信号Ｓ５３が生成される。
次に、電気信号Ｓ５３が、バッファアンプ５４において、しきい値ＶｔｈｂRZを用いて差動増幅されて電気信号Ｓ５４が生成され、電気信号Ｓ５４がＬＤ駆動回路５５に出力される。
そして、電圧信号Ｓ５４に基づいてＬＤ駆動回路５５によって半導体レーザ５６の発光が制御され、半導体レーザ５６から光出力信号Ｓ４３1 が出力される。このとき、ＡＰＣ回路５７によって、基準電圧ＶｒｅｆRZに基づいて、半導体レーザ５６から出力される光信号Ｓ４３1 のパワーが一定になるように制御される。
【００３６】
以上説明したように、波長変換器４３1 によれば、光信号Ｓ４２1 がＮＲＺ符号化およびＲＺ符号化のいずれの符号化が行われている場合でも、リミッティングアンプ５３およびバッファアンプ５４において正しい符号判定を行うことができると共に、ＡＰＣ回路５７からの制御に基づいて半導体レーザ５６から出力される光信号Ｓ４３1 のパワーを一定に保持できる。
【００３７】
また、波長変換器４３1 によれば、前述したように、判別信号Ｓ６３が示す判別結果をラッチすることで、光信号Ｓ４２1 において「マーク」および「スペース」のうち一方が一時的に連続して発生しても、リミッティングアンプ５３およびバッファアンプ５４が誤ってしきい値を切り替えてしまうことを回避でき、正確な符号判定が可能になる。
また、光信号Ｓ４２1 の符号化方式が切り替わる場合には、光信号Ｓ４２1 が出力されない期間が存在するため、当該期間を検出してラッチを解除することで、符号化方式の切り替わりに対しても適切に対処できる。
【００３８】
本発明は上述した実施形態には限定されない。
例えば、上述した実施形態では、ＮＲＺ符号化およびＲＺ符号化された光信号Ｓ４２1 を選択的に入力する場合を説明したが、光信号Ｓ４２1 が採用する複数の符号化方式は、マーク率が相互に異なるものであれば任意である。例えば、ＣＭＩ符号化およびＲＺ符号化された光信号Ｓ４２1 を選択的に入力する場合でも、波長変換器４３1 を適用できる。
【００３９】
また、上述した実施形態では、リミッティングアンプ５３の負出力から電圧信号Ｓ５３ｂを平均値検出器６２に出力する場合を例示したが、電流・電圧変換器５２から電圧信号Ｓ５２を平均値検出器６２に出力してもよい。
【００４０】
また、図３に示すように、リミッティングアンプ５３を設けずに、電流・電圧変換器５２とバッファアンプ５４とをＡＣ結合するようにしてもよい。
さらに、図４に示すように、バッファアンプ５４を設けずに、リミッティングアンプ５３からの電圧信号をＬＤ駆動回路５５に出力するようにしてもよい。
【００４１】
【発明の効果】
以上説明したように、本発明の増幅装置および波長変換装置によれば、受光した光信号において「マーク」および「スペース」の一方が一時的に連続して発生した場合でも、それぞれ光信号の増幅および波長変換を正確に行うことができる。
また、本発明の波長変換装置によれば、出力する光信号のパワーを安定して一定に保持できる。
【図面の簡単な説明】
【図１】図１は、本発明の実施形態のＷＤＭシステムの構成図である。
【図２】図２は、図１に示す波長変換器の構成図である。
【図３】図３は、図２に示す波長変換器の第１の変形例である。
【図４】図４は、図２に示す波長変換器の第２の変形例である。
【図５】図５は、従来の波長変換装置の構成図である。
【図６】図６は、図５に示す波長変換装置の問題点を説明するための図である。
【符号の説明】
３１…ＷＤＭシステム、４０…光送信装置、４１…光受信装置、４２1 〜４２4 …送信器、４３1 〜４３4 …波長変換器、４４…光合波器、４５…光ファイバ、４６…光分波器、４７1 〜４７4 …受信器、５１…受光素子、５２…電流・電圧変換器、５３…リミッティングアンプ、５４…バッファアンプ、５５…ＬＤ駆動回路、５６…半導体レーザ、５７…ＡＰＣ回路、６０…光入力断アラーム、６１，６４…しきい値切替器、６２…平均値検出器、６３…ＮＲＺ／ＲＺ判別器、６５…基準電圧切替器
【図１】
0004057209.tif 000002
【図２】
0004057209.tif 000003
【図３】
0004057209.tif 000004
【図４】
0004057209.tif 000005
【図５】
0004057209.tif 000006
【図６】
0004057209.tif 000007